(57)【要約】【課題】金融機関等の活動を活発化や、金融機関等の取引の安全性を向上のために特典ポイント等の利用方法を拡大する手段を提供する。【解決手段】第１の金融機関等のお客から第３者への第２の金融機関等の紹介等、前記第３者の前記第２の金融機関等の利用等あるいは顧客登録等に対して前記お客に特典ポイント等を付与したり、第１の金融機関等の勧める業務システム等を第２の金融機関等が利用等する場合、前記第１の金融機関等が特典ポイント等の付与内容等を向上して前記お客に付与することを特徴とする特典ポイント等付与方法を提供する。【選択図】          図１
2004318270.tif 000002
【特許請求の範囲】
【請求項１】
特典ポイント等の付与に直接あるいは間接に関与等する金融機関等によって運営等されるコンピュータシステムに登録されたお客のデータを管理する特定顧客データ部と、第１の金融機関等のお客が第２の金融機関等を直接あるいは間接に第３者に紹介等するという紹介等情報あるいは第１の金融機関等のお客が第２の金融機関等を直接あるいは間接に第３者に紹介等したという紹介等実績情報などの行為情報が前記特定顧客データ部に入力される情報入力段階と、前記行為情報に基づく前記特典ポイント等を前記特定顧客データ部に入力する特典ポイント等入力段階とからなり、前記特典ポイント等入力段階の処理が前記特典ポイント等の付与規定等に基づいて前記行為情報に対する前記特典ポイント等を前記特定顧客データ部に直接あるいは間接に付与する事を特徴とする前記特典ポイント等付与方法。
【請求項２】
特典ポイント等の付与に直接あるいは間接に関与等する金融機関等によって運営等されるコンピュータシステムに登録されたお客のデータを管理する前記特定顧客データ部と、前記紹介等情報、前記紹介等実績情報、前記お客より前記第２の金融機関等を直接あるいは間接に紹介等された第３者が前記第２の金融機関等を直接あるいは間接に利用等するという利用等情報あるいは前記お客より前記第２の金融機関等を直接あるいは間接に紹介等された第３者が前記第２の金融機関等を直接あるいは間接に利用等したという利用等実績情報などの行為情報を前記特定顧客データ部に入力する情報入力段階と、前記行為情報に基づく前記特典ポイント等を前記特定顧客データ部に入力する特典ポイント等入力段階とからなり、前記特典ポイント等入力段階の処理が前記特典ポイント等の付与規定等に基づいて前記行為情報に対する特典ポイント等を前記特定顧客データ部に直接あるいは間接に付与することを特徴とする請求項１記載の前記特典ポイント等付与方法。
【請求項３】
特典ポイント等の付与に直接あるいは間接に関与等する金融機関等によって運営等されるコンピュータシステムに登録されたお客のデータを管理する前記特定顧客データ部と、前記紹介等情報、前記紹介等実績情報、前記利用等情報、前記利用等実績情報、前記お客から前記第２の金融機関等を紹介等された第３者が前記第２の金融機関等を利用等した上で前記第１の金融機関等に直接あるいは間接に顧客登録等するという顧客登録等情報あるいは前記お客から前記第２の金融機関等を紹介等された第３者が前記第２の金融機関等を直接あるいは間接に利用等した上で前記第１の金融機関等に顧客登録等したという顧客登録等実績情報などの行為情報を入力する情報入力段階と、前記行為情報に基づく特典ポイント等を前記特定顧客データ部に入力する特典ポイント等入力段階とからなり、前記特典ポイント等入力段階の処理が前記特典ポイント等の付与規定等に基づいて前記行為情報に対する特典ポイント等を前記特定顧客データ部に直接あるいは間接に付与することを特徴とする請求項１あるいは２記載の前記特典ポイント等付与方法。
【請求項４】
前記第２の金融機関等が前記第１の金融機関等が利用等を勧める業務システム等を直接あるいは間接に利用等する場合あるいは前記第２の金融機関等が前記第１の金融機関等の勧める業務システム等を直接あるいは間接に利用等した場合に特典ポイント等の付与内容等を向上して前記お客に直接あるいは間接に付与することを前記付与規定等に含めることを特徴とする請求項１、２あるいは３に記載の前記特典ポイント等付与方法。
【請求項５】
特典ポイント等の付与に直接あるいは間接に関与等する金融機関等によって運営等されるコンピュータシステムに登録されたお客のデータを管理する特定顧客データ部と、第１の金融機関等のお客が第２の金融機関等を直接あるいは間接に利用等するという利用等情報、第１の金融機関等のお客が第２の金融機関等を直接あるいは間接に利用等したという利用等実績情報、第１の金融機関等のお客が第２の金融機関等に直接あるいは間接に顧客登録等をするという顧客登録等情報、第１の金融機関等のお客が第２の金融機関等に直接あるいは間接に顧客登録等をしたという顧客登録等実績情報あるいは前記お客から前記第１の金融機関等を直接あるいは間接に紹介等された第３者が前記第２の金融機関等を直接あるいは間接に利用等した上で前記第１の金融機関等に直接あるいは間接に顧客登録等するという第１の金融機関等顧客登録等情報あるいは前記お客から前記第１の金融機関等を直接あるいは間接に紹介等された第３者が前記第２の金融機関等を利用等した上で前記第１の金融機関等に直接あるいは間接に顧客登録等したという第１の金融機関等顧客登録等実績情報などの行為情報を前記特定顧客データ部に入力する情報入力段階と、前記行為情報に基づく前記特典ポイント等を前記特定顧客データ部に入力する特典ポイント等入力段階とからなり、前記第２の金融機関等が前記第１の金融機関等が利用等を勧める業務システム等を直接あるいは間接に利用等する場合に前記特典ポイント等の付与内容等を向上して前記お客に付与することを前記特典ポイント等の付与規定等に含めることや前記特典ポイント等入力段階の処理が前記特典ポイント等の前記付与規定等に基づいて前記行為情報に対する前記特典ポイント等を前記特定顧客データ部に直接あるいは間接に付与することを特徴とする特典ポイント等付与方法。
【請求項６】
前記特典ポイント等入力段階の処理が特典ポイント等を前記特定顧客データ部に直接あるいは間接に付与するという通知あるいは特典ポイント等を前記特定顧客データ部に直接あるいは間接に付与したという前記お客あるいは前記第３者への実績通知を直接あるいは間接に出力をすることを特徴とする請求項１、２、３、４あるいは５に記載の前記特典ポイント等付与方法。
【発明の詳細な説明】
【０００１】
【発明の属する技術分野】
本発明は特典ポイント等の付与方法に関するものである。
【０００２】
【従来の技術】
図３９、図４０に示すように、従来より第１の金融機関等を前記第１の金融機関等のお客が利用等した場合、第１の金融機関等のお客が第２の金融機関等を利用等した場合あるいは前記お客が第１の金融機関等を第３者に紹介等した上で前記第３者が前記第１の金融機関等に顧客登録等した場合に紹介等した事実、利用等した金額、回数、期間の長さ、頻度あるいは顧客登録等した時期がキャンペーン期間中であることなどに基づいて特典ポイント等を加算あるいは特典ポイント等の内容を決定して付与したり、第１の金融機関等のお客が第２の金融機関等あるいは第３者から得た特典ポイント等を第１の金融機関等の特典ポイント等に移行した場合に第１の金融機関等の特典ポイント等の権利を増加したり、第１の金融機関等のお客が前記第１の金融機関等から得た特典ポイント等を他の金融機関等あるいは第３者の特典ポイント等に移行するなどした場合に特典ポイント等を減じたり、あるいは前記お客が保有する特典ポイント等を消費した場合に前記特典ポイント等を減じたりしていた。
【０００３】
【発明が解決しようとする課題】
従来の技術には欠点があった。
１．第１の金融機関等のお客の特典ポイント等を得たいという意欲を利用して前記お客から第２の金融機関等を第３者へ紹介等させることができない分、前記第２の金融機関等が倒産しないように経営的な支援などを前記第１の金融機関等が行うことができない。
２．第１の金融機関等のお客の特典ポイント等を得たいという意欲を利用して前記お客から第２の金融機関等を紹介等された第３者に前記第２の金融機関等を利用等させることができない分、前記第２の金融機関等が倒産しないように経営的な支援などを前記第１の金融機関等が行うことができない。
３．第１の金融機関等のお客の特典ポイント等を得たいという意欲を利用して前記お客から第２の金融機関等の利用等を第３者にさせた上で前記第３者を前記第１の金融機関等に顧客登録等させることができない分、前記第１の金融機関等の顧客を増加させることが期待できない。
４．第１の金融機関等のお客が第２の金融機関等を利用等したり、前記お客が前記第２の金融機関等を第３者に紹介等したり、前記第３者が前記第２の金融機関等を利用等したりあるいは前記第３者が前記第２の金融機関等の利用等をした上で前記第１の金融機関等に顧客登録等した時に前記第１の金融機関等の勧める業務システム等を前記第２の金融機関等が利用等する場合には前記第１の金融機関等が特典ポイント等の付与内容等を向上して前記お客に付与するという特典ポイント等付与方法がない分、前記第２の金融機関等の前記業務システム等を利用等しようとする意欲を高める手段がない。
５．上記の４．で述べた欠点の分、前記業務システム等を前記第２の金融機関等に利用等させた時に第１の金融機関等が得る販売利益の向上を期待できない。
６．上記の４．で述べた欠点の分、前記業務システム等を前記第２の金融機関等に利用等させた時に第１の金融機関等が得る取引上の安全性の向上を期待できない。
【０００４】
本発明は以上のような従来技術のもつ問題点に鑑みてなされたものであって、その目的は、特典ポイント等の活用方法を拡大してお客の金融機関等を利用等しようとする意欲を高めたり、金融機関等が顧客を獲得する機会を多くすることにより、金融機関等の売り上げの増大を図ること、あるいは金融機関等の取引の安全性を向上させる手段を提供することである。
【０００５】
【課題を解決するための手段】
上述した目的を達成するために本発明は次に述べるような構成となっている。
＜請求項１記載の発明＞
請求項１の発明において、特典ポイント等の付与に直接あるいは間接に関与等する金融機関等によって運営等されるコンピュータシステムに登録されたお客のデータを管理する特定顧客データ部と、第１の金融機関等のお客が第２の金融機関等を直接あるいは間接に第３者に紹介等するという紹介等情報あるいは第１の金融機関等のお客が第２の金融機関等を直接あるいは間接に第３者に紹介等したという紹介等実績情報などの行為情報が前記特定顧客データ部に入力される情報入力段階と、前記行為情報に基づく前記特典ポイント等を前記特定顧客データ部に入力する特典ポイント等入力段階とからなり、前記特典ポイント等入力段階の処理が前記特典ポイント等の付与規定等に基づいて前記行為情報に対する前記特典ポイント等を前記特定顧客データ部に直接あるいは間接に付与する事を特徴とする。
［特典ポイント等とは］特典自体、特典の受け取りが保証されるクーポン、あるいは特典の受け取りが保証されるクーポンの分割権利としての特典ポイントやその情報を意味する。
［付与規定等とは］前記特典ポイント等を前記お客に付与するための規定、方針あるいは基準を意味し、文章で明記している場合も文章で明記していない場合も両方ともに付与規定等の範疇に含める。
［金融機関等とは］銀行、その他の金融機関、個人、法人、団体、あるいは公的機関など全ての経済活動を行う主体を意味する。
［第１の金融機関等とは］前記お客が前記特典ポイント等を受けることができる一個の金融機関等を挙げたものである。
［第２の金融機関等とは］金融機関等の内、前記第１の金融機関等とは別の金融機関等を挙げたものである。
［関与等とは］前記特典ポイント等の名称の決定、前記特典ポイント等の付与規定の決定あるいは前記特典ポイント等の付与に関連する作業全般にわたり直接あるいは間接に参加、従事あるいは関係することを意味する。
［運営等とは］前記コンピュータシステムに関係する機器、ソフトウエアあるいはデータなどの資源の企画、計画、研究、設計、開発、実施、管理あるいは保守などの開発業務あるいは運用業務や、組織の設立運営、人事管理、労務管理、利用者管理、経理業務、購買管理、生産管理、在庫管理、広告管理、販売管理、営業管理、総務管理あるいはその他の関係する企業や機関の業務全般を意味する。
［特定顧客データ部とは］前記コンピュータシステムにおいて使用する前記お客の情報を管理する記憶領域上の部分のことであり、前記記憶領域にはコンピュータ装置内部にあるものに限らず外部記憶媒体、紙、布、板、プラスチック、金属、パーソナルコンピュータ、電話あるいはファックスなどの情報記憶部分も前記お客の情報やその前記特典ポイント等の情報管理に使用される場合にはその範疇に含めるものであり、前記コンピュータシステムにおけるコンピュータ装置も一台とは限らず複数台ある場合もあり、前記お客の情報あるいは特典ポイント等の情報管理に使用される場合には前記特定顧客データ部の範疇に含めるものである。
［紹介等とは］前記お客が前記第３者に金融機関等の情報、商品情報、サービス情報あるいは前記特典ポイント等の情報を直接あるいは間接に伝えることを意味する。
［紹介等するとは］前記お客が前記第３者に金融機関等の情報、商品情報、サービス情報あるいは前記特典ポイント等の情報を直接あるいは間接に将来伝えることあるいは現在伝えていることを意味する。
［行為情報とは］第１の金融機関等のお客が第２の金融機関等を直接あるいは間接に第３者に紹介等するという紹介等情報あるいは第１の金融機関等のお客が第２の金融機関等を直接あるいは間接に第３者に紹介等したという紹介等実績情報などを意味する。
【０００６】
＜請求項２記載の発明＞
請求項１の発明において、特典ポイント等の付与に直接あるいは間接に関与等する金融機関等によって運営等されるコンピュータシステムに登録されたお客のデータを管理する前記特定顧客データ部と、前記紹介等情報、前記紹介等実績情報、前記お客より前記第２の金融機関等を直接あるいは間接に紹介等された第３者が前記第２の金融機関等を直接あるいは間接に利用等するという利用等情報あるいは前記お客より前記第２の金融機関等を直接あるいは間接に紹介等された第３者が前記第２の金融機関等を直接あるいは間接に利用等したという利用等実績情報などの行為情報を前記特定顧客データ部に入力する情報入力段階と、前記行為情報に基づく前記特典ポイント等を前記特定顧客データ部に入力する特典ポイント等入力段階とからなり、前記特典ポイント等入力段階の処理が前記特典ポイント等の付与規定等に基づいて前記行為情報に対する特典ポイント等を前記特定顧客データ部に直接あるいは間接に付与することを特徴とする。
［利用等とは］直接あるいは間接に金融機関等の情報あるいは商品を入手、購買、借用あるいは使用したりすること、特典ポイント等の獲得、移行あるいは消費などを直接あるいは間接にしたりすることあるいはその他のサービスを直接あるいは間接に受けることなどを意味する。
［利用等するとは］直接あるいは間接に金融機関等の情報あるいは商品を入手、購買、借用あるいは使用を将来あるい現在すること、特典ポイント等の獲得、移行あるいは消費などを直接あるいは間接に将来あるいは現在することあるいはその他のサービスを直接あるいは間接に将来あるいは現在受けることなどを意味する。
［行為情報とは］第１の金融機関等のお客が第２の金融機関等を直接あるいは間接に第３者に紹介等するという紹介等情報あるいは第１の金融機関等のお客が第２の金融機関等を直接あるいは間接に第３者に紹介等したという紹介等実績情報、前記お客より前記第２の金融機関等を直接あるいは間接に紹介等された第３者が前記第２の金融機関等を直接あるいは間接に利用等するという利用等情報あるいは前記お客より前記第２の金融機関等を直接あるいは間接に紹介等された第３者が前記第２の金融機関等を直接あるいは間接に利用等したという利用等実績情報などを意味する。
【０００７】
＜請求項３記載の発明＞
請求項１あるいは請求項２の発明において、特典ポイント等の付与に直接あるいは間接に関与等する金融機関等によって運営等されるコンピュータシステムに登録されたお客のデータを管理する前記特定顧客データ部と、前記紹介等情報、前記紹介等実績情報、前記利用等情報、前記利用等実績情報、前記お客から前記第２の金融機関等を紹介等された第３者が前記第２の金融機関等を利用等した上で前記第１の金融機関等に直接あるいは間接に顧客登録等するという顧客登録等情報あるいは前記お客から前記第２の金融機関等を紹介等された第３者が前記第２の金融機関等を直接あるいは間接に利用等した上で前記第１の金融機関等に顧客登録等したという顧客登録等実績情報などの行為情報を入力する情報入力段階と、前記行為情報に基づく特典ポイント等を前記特定顧客データ部に入力する特典ポイント等入力段階とからなり、前記特典ポイント等入力段階の処理が前記特典ポイント等の付与規定等に基づいて前記行為情報に対する特典ポイント等を前記特定顧客データ部に直接あるいは間接に付与することを特徴とする。
［顧客登録等とは］金融機関等を利用等しようとする者が前記金融機関等に口座開設、会員登録、顧客登録あるいは利用等することを意味する。
［顧客登録等するとは］金融機関等を利用等しようとする者がその金融機関等に口座開設、会員登録あるいは顧客登録などを将来あるいは現在することあるいは利用等を将来あるいは現在することを意味する。
［行為情報とは］第１の金融機関等のお客が第２の金融機関等を直接あるいは間接に第３者に紹介等するという紹介等情報あるいは第１の金融機関等のお客が第２の金融機関等を直接あるいは間接に第３者に紹介等したという紹介等実績情報、前記お客より前記第２の金融機関等を直接あるいは間接に紹介等された第３者が前記第２の金融機関等を直接あるいは間接に利用等するという利用等情報あるいは前記お客より前記第２の金融機関等を直接あるいは間接に紹介等された第３者が前記第２の金融機関等を直接あるいは間接に利用等したという利用等実績情報、前記お客から前記第２の金融機関等を紹介等された第３者が前記第２の金融機関等を利用等した上で前記第１の金融機関等に直接あるいは間接に顧客登録等するという顧客登録等情報あるいは前記お客から前記第２の金融機関等を直接あるいは間接に紹介等された第３者が前記第２の金融機関等を直接あるいは間接に利用等した上で前記第１の金融機関等に直接あるいは間接に顧客登録等したという顧客登録等実績情報などを意味する。
【０００８】
＜請求項４記載の発明＞
請求項１、２あるいは３において、前記第２の金融機関等が前記第１の金融機関等が利用等を勧める業務システム等を直接あるいは間接に利用等する場合あるいは前記第２の金融機関等が前記第１の金融機関等の勧める業務システム等を直接あるいは間接に利用等した場合に特典ポイント等の付与内容等を向上して前記お客に直接あるいは間接に付与することを前記付与規定等に含めることを特徴とする。
［業務システム等とは］ソフトウエア、ハードウエア、データ、物品、商品、知的財産権、あるいはサービスなどを意味する。
［付与内容等とは］前記特典ポイント等自体や、付与条件、付与するしくみ、付与する方法あるいは付与に関連するサービスなどを意味する。
【０００９】
＜請求項５記載の発明＞
請求項５の発明において、特典ポイント等の付与に直接あるいは間接に関与等する金融機関等によって運営等されるコンピュータシステムに登録されたお客のデータを管理する特定顧客データ部と、第１の金融機関等のお客が第２の金融機関等を直接あるいは間接に利用等するという利用等情報、第１の金融機関等のお客が第２の金融機関等を直接あるいは間接に利用等したという利用等実績情報、第１の金融機関等のお客が第２の金融機関等に直接あるいは間接に顧客登録等をするという顧客登録等情報、第１の金融機関等のお客が第２の金融機関等に直接あるいは間接に顧客登録等をしたという顧客登録等実績情報あるいは前記お客から前記第１の金融機関等を直接あるいは間接に紹介等された第３者が前記第２の金融機関等を直接あるいは間接に利用等した上で前記第１の金融機関等に直接あるいは間接に顧客登録等するという第１の金融機関等顧客登録等情報あるいは前記お客から前記第１の金融機関等を直接あるいは間接に紹介等された第３者が前記第２の金融機関等を利用等した上で前記第１の金融機関等に直接あるいは間接に顧客登録等したという第１の金融機関等顧客登録等実績情報などの行為情報を前記特定顧客データ部に入力する情報入力段階と、前記行為情報に基づく前記特典ポイント等を前記特定顧客データ部に入力する特典ポイント等入力段階とからなり、前記第２の金融機関等が前記第１の金融機関等が利用等を勧める業務システム等を直接あるいは間接に利用等する場合に前記特典ポイント等の付与内容等を向上して前記お客に付与することを前記特典ポイント等の付与規定等に含めることや前記特典ポイント等入力段階の処理が前記特典ポイント等の前記付与規定等に基づいて前記行為情報に対する前記特典ポイント等を前記特定顧客データ部に直接あるいは間接に付与することを特徴とする。
［付与規定等とは］前記特典ポイント等を前記お客に付与するための規定、方針あるいは基準を意味し、文章で明記している場合も文章で明記していない場合も両方ともに付与規定等の範疇に含める。
［金融機関等とは］銀行、その他の金融機関、個人、法人、団体、あるいは公的機関など全ての経済活動を行う主体を意味する。
［第１の金融機関等とは］前記お客が前記特典ポイント等を受けることができる一個の金融機関等を挙げたものである。
［第２の金融機関等とは］金融機関等の内、前記第１の金融機関等とは別の金融機関等を挙げたものである。
［関与等とは］前記特典ポイント等の名称の決定、前記特典ポイント等の付与規定の決定あるいは前記特典ポイント等の付与に関連する作業全般にわたり直接あるいは間接に参加、従事あるいは関係することを意味する。
［運営等とは］前記コンピュータシステムに関係する機器、ソフトウエアあるいはデータなどの資源の企画、計画、研究、設計、開発、実施、管理あるいは保守などの開発業務あるいは運用業務や、組織の設立運営、人事管理、労務管理、利用者管理、経理業務、購買管理、生産管理、在庫管理、広告管理、販売管理、営業管理、総務管理あるいはその他の関係する企業や機関の業務全般を意味する。
［特定顧客データ部とは］前記コンピュータシステムにおいて使用する前記お客の情報を管理する記憶領域上の部分のことであり、前記記憶領域にはコンピュータ装置内部にあるものに限らず外部記憶媒体、紙、布、板、プラスチック、金属、パーソナルコンピュータ、電話あるいはファックスなどの情報記憶部分も前記お客の情報や特典ポイント等の情報管理に使用される場合には前記特定顧客データ部の範疇に含めるものであり、前記コンピュータシステムにおけるコンピュータ装置も一台とは限らず複数台ある場合もあり、前記お客の情報や特典ポイント等の情報管理に使用される場合には前記特定顧客データ部の範疇に含める。
［紹介等とは］前記お客が前記第３者に金融機関等の情報、商品情報、サービス情報あるいは前記特典ポイント等の情報を直接あるいは間接に伝えることを意味する。
［紹介等するとは］前記お客が前記第３者に金融機関等の情報、商品情報、サービス情報あるいは前記特典ポイント等の情報を直接あるいは間接に将来伝えることあるいは現在伝えていることを意味する。
［利用等とは］直接あるいは間接に金融機関等の情報あるいは商品を入手、購買、借用あるいは使用したりすること、特典ポイント等の獲得、移行あるいは消費などしたりすることあるいはその他のサービスを受けることなどを意味する。
［利用等するとは］直接あるいは間接に金融機関等の情報あるいは商品を入手、購買、借用あるいは使用を将来することあるい現在していること、特典ポイント等の獲得、移行あるいは消費などを将来したりあるいは現在することあるいはその他のサービスを将来受けることあるいは現在受けることなどを意味する。
［顧客登録等とは］金融機関等を利用等しようとする者がその金融機関等に口座を開設、会員登録、顧客登録あるいは利用等することを意味する。
［顧客登録等するとは］金融機関等を利用等しようとする者がその金融機関等に口座を開設、会員登録、顧客登録あるいは利用等を将来することあるいは現在することを意味する。
［業務システム等とは］ソフトウエア、ハードウエア、データ、物品、商品、知的財産権、あるいはサービスなどを意味する。
［付与内容等とは］前記特典ポイント等自体や、付与条件、付与するしくみ、付与する方法あるいは付与に関連するサービスなどを意味する。
［行為情報とは］第１の金融機関等のお客が第２の金融機関等を直接あるいは間接に利用等するという利用等情報、第１の金融機関等のお客が第２の金融機関等を直接あるいは間接に利用等したという利用等実績情報、第１の金融機関等のお客が第２の金融機関等に直接あるいは間接に顧客登録等をするという顧客登録等情報、第１の金融機関等のお客が第２の金融機関等に直接あるいは間接に顧客登録等をしたという顧客登録等実績情報あるいは前記お客から前記第１の金融機関等を直接あるいは間接に紹介等された第３者が前記第２の金融機関等を直接あるいは間接に利用等した上で前記第１の金融機関等に直接あるいは間接に顧客登録等するという第１の金融機関等顧客登録等情報あるいは前記お客から前記第１の金融機関等を直接あるいは間接に紹介等された第３者が前記第２の金融機関等を利用等した上で前記第１の金融機関等に直接あるいは間接に顧客登録等したという第１の金融機関等顧客登録等実績情報などを意味する。
【００１０】
＜請求項６記載の発明＞
請求項１、２、３、４あるいは５の発明において、特典ポイント等入力段階の処理が特典ポイント等を特定顧客データ部に直接あるいは間接に付与するという通知あるいは特典ポイント等を前記特定顧客データ部に直接あるいは間接に付与したという実績通知を前記お客あるいは前記第３者に対して直接あるいは間接に出力をすることを特徴とする。
［特典ポイント等とは］特典自体、特典の受け取りが保証されるクーポン、あるいは特典の受け取りが保証されるクーポンの分割権利としての特典ポイントやその情報を意味する。
［特定顧客データ部とは］前記コンピュータシステムにおいて使用する前記お客の情報を管理する記憶領域上の部分のことであり、前記記憶領域にはコンピュータ装置内部にあるものに限らず外部記憶媒体、紙、布、板、プラスチック、金属、パーソナルコンピュータ、電話あるいはファックスなどの情報記憶部分も前記お客の情報や特典ポイント等の情報管理に使用される場合には前記特定顧客データ部の範疇に含めるものであり、前記コンピュータシステムにおけるコンピュータ装置も一台とは限らず複数台ある場合もあり、前記お客の情報や特典ポイント等の情報管理に使用される場合には前記特定顧客データ部の範疇に含める。
［紹介等とは］前記お客が前記第３者に金融機関等の情報、商品情報、サービス情報あるいは前記特典ポイント等の情報を直接あるいは間接に伝えることを意味する。
［紹介等するとは］前記お客が前記第３者に金融機関等の情報、商品情報、サービス情報あるいは前記特典ポイント等の情報を直接あるいは間接に将来伝えることあるいは現在伝えていることを意味する。
［利用等とは］直接あるいは間接に金融機関等の情報あるいは商品を入手、購買、借用あるいは使用したりすること、特典ポイント等の獲得、移行あるいは消費などしたりすることあるいはその他のサービスを受けることなどを意味する。
［利用等するとは］直接あるいは間接に金融機関等の情報あるいは商品を入手、購買、借用あるいは使用を将来することあるい現在していること、特典ポイント等の獲得、移行あるいは消費などを将来したりあるいは現在することあるいはその他のサービスを将来受けることあるいは現在受けることなどを意味する。
［顧客登録等とは］金融機関等を利用等しようとする者がその金融機関等に口座を開設、会員登録、顧客登録あるいは利用等することを意味する。
［顧客登録等するとは］金融機関等を利用等しようとする者がその金融機関等に口座を開設、会員登録、顧客登録あるいは利用等を将来することあるいは現在することを意味する。
【００１１】
【発明の実施の形態】
本発明の実施の形態を図面を参照しながら説明する。
＜実施の形態１＞
図１は直接特典ポイント等を付与する場合の実施の形態１を示す。図２は本発明の実施の形態１あるいは７の提携金融機関等募集のホームページである。図３は本発明の実施の形態１あるいは７の情報も入力できる広告のホームページである。図４は本発明の実施の形態１、４、７あるいは１０の概要処理フロー概念図であり、特典ポイント等付与規定等入力処理から特典ポイント等付与規定等適用処理までを示したものである。
本発明の実施の形態１の概要を図１に示した実施順序に従って説明するとまず初めに運用準備段階の作業としてａで示す第１の金融機関等あるいは第１の金融機関等のコンピュータとｄで示す第２の金融機関等あるいは第２の金融機関等のコンピュータの間で特典ポイント等付与方法の実施に先立って以下の作業が行われる。
初めにＡの特典ポイント等付与方法の業務提携先募集広告のためのホームページ表示がａで示す第１の金融機関等あるいは第１の金融機関等のコンピュータより行われる。前記特典ポイント等付与方法の業務提携先募集広告のためのホームページの実施の例が図２である。
次にＢの特典ポイント等付与方法の業務提携先募集に対する申込みがｄで示す第２の金融機関等あるいは第２の金融機関等のコンピュータからなされる。
次にＣの特典ポイント等付与方法の業務内容についての会話が行われる。
前記業務内容についての会話とは主に前記第２の金融機関等あるいは前記第２の金融機関等のコンピュータからの業務を行う上での条件、規約あるいは業務内容についての問い合わせと前記第１の金融機関等あるいは前記第１の金融機関等のコンピュータからの前記問い合わせに対する回答を意味する。
次にＤの特典ポイント等付与方法の業務の体制等に対する準備の作業が行われる。前記業務の体制等に対する準備の作業とは前記第１の金融機関等あるいは前記第１の金融機関等コンピュータの提示した業務の内容あるいは条件を前記第２の金融機関等あるいは前記第２の金融機関等のコンピュータが選択したりすることあるいは前記第１の金融機関等あるいは前記第１の金融機関等が業務の準備をするにあたって求めた情報提供あるいは手続きを前記第２の金融機関等あるいは前記第２の金融機関等のコンピュータが前記第１の金融機関等あるいは前記第１の金融機関等のコンピュータに対して行うことなどを意味する。
次にＥの特典ポイント等付与方法業務の開始と開始通知が第１の金融機関等あるいは前記第１の金融機関等のコンピュータから前記第２の金融機関等あるいは前記第２の金融機関等のコンピュータへ行われる。
以上で本発明の実施の形態１における運用準備段階の作業が終了する。
次に本発明の実施の形態１における運用開始段階の作業として、まずａで示す前記第１の金融機関等あるいは前記第１の金融機関等のコンピュータからｂで示すお客あるいはお客のコンピュータへＦで示す特典ポイント等付与方法業務のお客向け広告のためのホームページの表示が行われる。前記特典ポイント等付与方法業務のお客向け広告のためのホームページの例が図３である。
次に１の前記お客から第３者に前記第２の金融機関等を紹介等するという行為がｂで示すお客あるいは前記お客のコンピュータからｃで示す第３者あるいは前記第３者のコンピュータへ行われる。
次に４ａの紹介等情報あるいは紹介等実績情報の通知という行為がｃで示す前記第３者あるいは前記第３者のコンピュータからｄで示す前記第２の金融機関等あるいは前記第２の金融機関等のコンピュータへ行われる。
紹介等情報あるいは紹介等実績情報は２で示されているものである。
次に４ｂで示す利用等情報あるいは利用等実績情報の通知という行為がｃで示す前記第３者あるいは前記第３者のコンピュータからｄで示す前記第２の金融機関等あるいは前記第２の金融機関等のコンピュータへ行われる。
利用等情報あるいは利用等実績情報は３で示されているものである。
次に４ｃで前記紹介等情報、前記紹介等実績情報、前記利用等情報あるいは前記利用等実績情報の通知という行為がｄで示す前記第２の金融機関等あるいは前記第２の金融機関等のコンピュータからａで示す前記第１の金融機関等あるいは前記第１の金融機関等のコンピュータへ行われる。
次に６で顧客登録等情報の通知あるいは顧客登録等実績情報の通知という行為がｃで示す第３者あるいは第３者のコンピュータからａで示す前記第１の金融機関等あるいは前記第１の金融機関等のコンピュータへ行われる。
次に７ａの前記お客への特典ポイント等の付与あるいは付与の通知という行為がａで示す前記第１の金融機関等あるいは前記第１の金融機関等のコンピュータから８ａで示される前記お客の特定顧客データ部へ行われる。
次に７ｂの前記お客に特典ポイント等が付与された事実の前記第３者への通知という行為がａで示す前記第１の金融機関等あるいは前記第１の金融機関等のコンピュータからが８ｂで示される前記第３者のデータ記憶部へ行われる。
以上で図１に示した実施順序に従った本発明の実施の形態１の概要説明を終了する。
本発明の実施の形態１を図４に示した前記第１の金融機関等のコンピュータにおいてなされる処理の実施順序に従って説明すると、まず初めに運用準備段階の作業である図４の１３で示される特典ポイント等付与規定入力処理を行う。
前記特典ポイント等付与規定入力処理は図４の１２で示される特典ポイント等付与規定の入力作業により入力した図４の１１で示される特典ポイント等付与規定情報を図４の１４で示される特典ポイント等付与規定等情報にして保存する処理である。
図４の１１で示される特典ポイント等付与規定情報は図１のａで示す第１の金融機関等あるいは第１の金融機関等のコンピュータと図１のｄで示す第２の金融機関等あるいは第２の金融機関等のコンピュータの間で特典ポイント等付与方法の実施に先立ってなされる運用準備段階の処理のうち図１のＤで示す特典ポイント等付与方法の業務の体制等に対する準備の作業によって決定される特典ポイント等の付与規定情報であり、お客や第３者の行為に対して付与される特典ポイント等の情報や第２の金融機関等が利用等する業務システム等によって向上される特典ポイント等の内容なども含めるものである。
次に運用開始段階の作業として図４の１６で示す行為情報入力処理を行う。
前記行為情報とは図４の２で示される紹介等情報あるいは紹介等実績情報、図４の３で示される利用等情報あるいは利用等実績情報あるいは図４の５で示される顧客登録等情報あるいは顧客登録等実績情報である。
前記行為情報入力処理は図４の１５で示される行為情報入力作業により入力された行為情報を図４の１７で示される顧客情報管理部の行為情報に保存する処理である。
次に図４の１８で示される特典ポイント等付与規定等情報適用処理を行う。
前記特典ポイント等付与規定等情報適用処理では、まず図４の１７で示す顧客情報管理部の行為情報と図４の１４で示される特典ポイント等付与規定等情報の両方を読み込む。
次に読み込んだ前記顧客情報管理部の行為情報の中の特典ポイント等の付与に関係のある情報に基づいて前記特典ポイント等付与規定等情報の中から適合する特典ポイント等の情報を見つけ出し顧客情報管理部の対象となるお客の特典ポイント等情報に出力あるいは顧客情報管理部の対象となるお客の特典ポイント等情報の更新をする。
【００１２】
図４に示した本発明の実施の形態１の前記第１の金融機関等のコンピュータにおいてなされる処理は全処理が一括順次連続に行われる場合、個々の処理の間に時間的間隔がある場合あるいは個々の処理が並行して実行される場合が考えられる。
【００１３】
＜実施の形態２＞
本発明の実施の形態２は、第１の金融機関等がお客に直接特典ポイント等を付与する場合の実施の形態であり、本発明の実施の形態２の本発明の実施の形態１との違いは本発明の実施の形態２では本発明の実施の形態１で見られる第３者の第１の金融機関等への顧客登録等の行為と前記行為に伴う情報、作業あるいは処理がないことである。
図５は実施の形態２についての概念図、図６は実施の形態２についての提携金融機関等募集のホームページ、図７は実施の形態２についての情報も入力できる広告のホームページ、図８は実施の形態２についての概要処理フロー概念図である。
【００１４】
図８に示した本発明の実施の形態２の前記第１の金融機関等のコンピュータにおいてなされる処理は全処理が一括順次連続に行われる場合、個々の処理の間に時間的間隔がある場合あるいは個々の処理が並行して実行される場合が考えられる。
【００１５】
＜実施の形態３＞
本発明の実施の形態３は、第１の金融機関等がお客に直接特典ポイント等を付与する場合の実施の形態であり、本発明の実施の形態３の本発明の実施の形態１との違いはまず本発明の実施の形態３では本発明の実施の形態１で見られる第３者の第１の金融機関等への顧客登録等の行為と前記行為に伴う情報、作業あるいは処理がないことであり、次に第３者による第２の金融機関等の利用等の行為と前記行為に伴う情報、作業あるいは処理がないことである。
図９は実施の形態３についての概念図、図１０は実施の形態３についての提携金融機関等募集のホームページ、図１１は実施の形態３についての情報も入力できる広告のホームページ、図１２は実施の形態３についての概要処理フロー概念図である。
【００１６】
本発明の実施の形態３の前記第１の金融機関等のコンピュータにおいてなされる処理は全処理が一括順次連続に行われる場合、個々の処理の間に時間的間隔がある場合あるいは個々の処理が並行して実行される場合が考えられる。
【００１７】
＜実施の形態４＞
本発明の実施の形態４は、第１の金融機関等から特典ポイント等付与方法の運営を委託された金融機関等がお客に直接特典ポイント等を付与する場合の実施の形態であり、本発明の実施の形態３の本発明の実施の形態１との違いは本発明の実施の形態４ではお客や第３者の行為情報が前記第１の金融機関等から特典ポイント等付与方法の運営を委託された金融機関等にも通知されることとお客への特典ポイント等付与あるいは付与の通知あるいはお客が特典ポイント等を付与されたという事実の第３者への通知が前記第１の金融機関等から特典ポイント等付与方法の運営を委託された金融機関等から行われることである。
図１３は実施の形態４についての概念図、図１４は実施の形態４についての提携金融機関等募集のホームページ、図１５は実施の形態３についての情報も入力できる広告のホームページ、図４は実施の形態４についての概要処理フロー概念図である。
【００１８】
本発明の実施の形態４の前記第１の金融機関等から特典ポイント等付与方法の運営を委託された金融機関等のコンピュータにおいてなされる処理は全処理が一括順次連続に行われる場合、個々の処理の間に時間的間隔がある場合あるいは個々の処理が並行して実行される場合が考えられる。
【００１９】
＜実施の形態５＞
本発明の実施の形態５は、第１の金融機関等から特典ポイント等付与方法の運営を委託された金融機関等がお客に直接特典ポイント等を付与する場合の実施の形態であり、本発明の実施の形態５の本発明の実施の形態４との違いは本発明の実施の形態５では本発明の実施の形態４で見られる第３者の第１の金融機関等への顧客登録等の行為と前記行為に伴う情報、作業あるいは処理がないことである。
図１６は実施の形態５についての概念図、図１７は実施の形態５についての提携金融機関等募集のホームページ、図１８は実施の形態５についての情報も入力できる広告のホームページ、図８は実施の形態２についての概要処理フロー概念図である。
【００２０】
本発明の実施の形態５の前記第１の金融機関等から特典ポイント等付与方法の運営を委託された金融機関等のコンピュータにおいてなされる処理は全処理が一括順次連続に行われる場合、個々の処理の間に時間的間隔がある場合あるいは個々の処理が並行して実行される場合が考えられる。
【００２１】
＜実施の形態６＞
本発明の実施の形態６は、第１の金融機関等から特典ポイント等付与方法の運営を委託された金融機関等がお客に直接特典ポイント等を付与する場合の実施の形態であり、本発明の実施の形態６の本発明の実施の形態４との違いは本発明の実施の形態６では本発明の実施の形態４で見られる第３者の第１の金融機関等への顧客登録等の行為と前記行為に伴う情報、作業あるいは処理がないことであり、次に第３者による第２の金融機関等の利用等の行為と前記行為に伴う情報、作業あるいは処理がないことである。
図１９は実施の形態６についての概念図、図２０は実施の形態６についての提携金融機関等募集のホームページ、図２１は実施の形態６についての情報も入力できる広告のホームページ、図１２は実施の形態６についての概要処理フロー概念図である。
【００２２】
本発明の実施の形態６の前記第１の金融機関等から特典ポイント等付与方法の運営を委託された金融機関等のコンピュータにおいてなされる処理は全処理が一括順次連続に行われる場合、個々の処理の間に時間的間隔がある場合あるいは個々の処理が並行して実行される場合が考えられる。
【００２３】
＜実施の形態７＞
本発明の実施の形態７は、第２の金融機関等からお客に特典ポイント等を付与する場合の実施の形態であり、本発明の実施の形態７の本発明の実施の形態１との違いは本発明の実施の形態７では第２の金融機関等からお客に特典ポイント等を付与したり、前記お客が特典ポイント等を付与されたという事実が第２の金融機関等から第３者に通知がされることである。
図２２は実施の形態４についての概念図、図２は実施の形態７についての提携金融機関等募集のホームページ、図３は実施の形態３についての情報も入力できる広告のホームページ、図４は実施の形態７についての概要処理フロー概念図である。
【００２４】
本発明の実施の形態７の前記第２の金融機関等のコンピュータにおいてなされる処理は全処理が一括順次連続に行われる場合、個々の処理の間に時間的間隔がある場合あるいは個々の処理が並行して実行される場合が考えられる。
【００２５】
＜実施の形態８＞
本発明の実施の形態８は、第２の金融機関等からお客に特典ポイント等を付与する場合の実施の形態であり、本発明の実施の形態８の本発明の実施の形態７との違いは本発明の実施の形態８では本発明の実施の形態７で見られる第３者の第１の金融機関等への顧客登録等の行為と前記行為に伴う情報、作業あるいは処理がないことである。
図２３は実施の形態８についての概念図、図６は実施の形態８についての提携金融機関等募集のホームページ、図７は実施の形態８についての情報も入力できる広告のホームページ、図８は実施の形態８についての概要処理フロー概念図である。
【００２６】
本発明の実施の形態８の前記第２の金融機関等のコンピュータにおいてなされる処理は全処理が一括順次連続に行われる場合、個々の処理の間に時間的間隔がある場合あるいは個々の処理が並行して実行される場合が考えられる。
【００２７】
＜実施の形態９＞
本発明の実施の形態９は、第２の金融機関等からお客に特典ポイント等を付与する場合の実施の形態であり、本発明の実施の形態９の本発明の実施の形態７との違いは本発明の実施の形態９では本発明の実施の形態７で見られる第３者の第１の金融機関等への顧客登録等の行為と前記行為に伴う情報、作業あるいは処理やがないことであり、次に第３者による第２の金融機関等の利用等の行為と前記行為に伴う情報、作業あるいは処理がないことである。
図２４は実施の形態９についての概念図、図１０は実施の形態９についての提携金融機関等募集のホームページ、図１１は実施の形態９についての情報も入力できる広告のホームページ、図１２は実施の形態８についての概要処理フロー概念図である。
【００２８】
本発明の実施の形態９の前記第２の金融機関等のコンピュータにおいてなされる処理は全処理が一括順次連続に行われる場合、個々の処理の間に時間的間隔がある場合あるいは個々の処理が並行して実行される場合が考えられる。
【００２９】
＜実施の形態１０＞
本発明の実施の形態１０は、第２の金融機関等から特典ポイント等付与方法の運営を委託された金融機関等がお客に特典ポイント等を付与する場合の実施の形態であり、本発明の実施の形態１０と本発明の実施の形態４との違いは本発明の実施の形態１０ではお客や第３者の行為情報が前記第２の金融機関等から特典ポイント等付与方法の運営を委託された金融機関等にも通知されることとお客への特典ポイント等付与あるいは付与の通知あるいはお客が特典ポイント等を付与されたという事実の第３者への通知が前記第２の金融機関等から特典ポイント等付与方法の運営を委託された金融機関等から行われることである。
図２５は実施の形態１０についての概念図、図１４は実施の形態１０についての提携金融機関等募集のホームページ、図１５は実施の形態１０についての情報も入力できる広告のホームページ、図４は実施の形態１０についての概要処理フロー概念図である。
【００３０】
本発明の実施の形態１０の前記第２の金融機関等から特典ポイント等付与方法の運営を委託された金融機関等のコンピュータにおいてなされる処理は全処理が一括順次連続に行われる場合、個々の処理の間に時間的間隔がある場合あるいは個々の処理が並行して実行される場合が考えられる。
【００３１】
＜実施の形態１１＞
本発明の実施の形態１１は、第２の金融機関等から特典ポイント等付与方法の運営を委託された金融機関等がお客に特典ポイント等を付与する場合の実施の形態であり、本発明の実施の形態１１と本発明の実施の形態１０との違いは本発明の実施の形態１１では本発明の実施の形態１０で見られる第３者の第１の金融機関等への顧客登録等の行為と前記行為に伴う情報、作業あるいは処理がないことである。
図２６は実施の形態１１についての概念図、図１７は実施の形態１１についての提携金融機関等募集のホームページ、図１８は実施の形態１１についての情報も入力できる広告のホームページ、図８は実施の形態１１についての概要処理フロー概念図である。
【００３２】
本発明の実施の形態１１の前記第２の金融機関等のコンピュータにおいてなされる処理は全処理が一括順次連続に行われる場合、個々の処理の間に時間的間隔がある場合あるいは個々の処理が並行して実行される場合が考えられる。
【００３３】
＜実施の形態１２＞
本発明の実施の形態１２は、第２の金融機関等から特典ポイント等付与方法の運営を委託された金融機関等がお客に特典ポイント等を付与する場合の実施の形態であり、本発明の実施の形態１２と本発明の実施の形態１０との違いは本発明の実施の形態１２では本発明の実施の形態１０で見られる第３者の第１の金融機関等への顧客登録等の行為と前記行為に伴う情報、作業あるいは処理がないことであり、第３者による第２の金融機関等の利用等の行為と前記行為に伴う情報、作業あるいは処理がないことである。
図２７は実施の形態１２についての概念図、図２０は実施の形態１２についての提携金融機関等募集のホームページ、図２１は実施の形態１２についての情報も入力できる広告のホームページ、図１２は実施の形態１２についての概要処理フロー概念図である。
【００３４】
本発明の実施の形態１２の前記第２の金融機関等のコンピュータにおいてなされる処理は全処理が一括順次連続に行われる場合、個々の処理の間に時間的間隔がある場合あるいは個々の処理が並行して実行される場合が考えられる。
【００３５】
＜実施の形態１３＞
本発明の実施の形態１３は、第１の金融機関等のお客が第２の金融機関等の利用等を直接あるいは間接に将来あるいは現在する場合、第１の金融機関等のお客が第２の金融機関等の利用等を直接あるいは間接にした場合、第１の金融機関等のお客が第２の金融機関等の利用等を直接あるいは間接にした上で第２の金融機関等への顧客登録等を将来あるいは現在する場合あるいは第１の金融機関等のお客が第２の金融機関等の利用等を直接あるいは間接にした上で第２の金融機関等への顧客登録等を直接あるいは間接にした場合に第１の金融機関等が利用等を勧める業務システム等を第２の金融機関等が利用等していたならば、前記お客に付与する特典ポイント等の付与内容を向上する場合の実施の形態である。
本発明の実施の形態１３と本発明の実施の形態１との違いは本発明の実施の形態１３では本発明の実施の形態３に見られる第３者の存在がないことと前記第３者の存在がないことに伴う行為、作業、情報あるいは処理がなく、第１の金融機関等のお客が第２の金融機関等の利用等を直接あるいは間接に将来あるいは現在する場合、第１の金融機関等のお客が第２の金融機関等の利用等を直接あるいは間接にした場合、第１の金融機関等のお客が第２の金融機関等の利用等を直接あるいは間接にした上で第２の金融機関等への顧客登録等を将来あるいは現在する場合あるいは第１の金融機関等のお客が第２の金融機関等の利用等を直接あるいは間接にした上で第２の金融機関等への顧客登録等を直接あるいは間接にした場合の行為、作業、情報あるいは処理があることである。
図２８は実施の形態１３についての概念図である。
【００３６】
本発明の実施の形態１３の前記第１の金融機関等のコンピュータにおいてなされる処理は全処理が一括順次連続に行われる場合、個々の処理の間に時間的間隔がある場合あるいは個々の処理が並行して実行される場合が考えられる。
【００３７】
＜実施の形態１４＞
本発明の実施の形態１４は、第１の金融機関等のお客が第２の金融機関等の利用等を直接あるいは間接に将来あるいは現在する場合、第１の金融機関等のお客が第２の金融機関等の利用等を直接あるいは間接にした場合に第１の金融機関等が利用等を勧める業務システム等を第２の金融機関等が利用等していたならば、前記お客に付与する特典ポイント等の付与内容を向上する場合の実施の形態である。
本発明の実施の形態１４と本発明の実施の形態１との違いは本発明の実施の形態１４では本発明の実施の形態１に見られる第３者の存在がないことと前記第３者の存在がないことに伴う行為、作業、情報あるいは処理がなく、第１の金融機関等のお客が第２の金融機関等の利用等を直接あるいは間接に将来あるいは現在する場合、第１の金融機関等のお客が第２の金融機関等の利用等を直接あるいは間接にした場合の行為、作業、情報あるいは処理があることである。
本発明の実施の形態１４と本発明の実施の形態１３の違いは本発明の実施の形態１４では本発明の実施の形態１３に見られる前記お客が前記第２の金融機関等へ顧客登録等を将来する、現在するあるいは過去したという行為がなく、前記行為に伴う作業、情報あるいは処理がないことである。
図２９は実施の形態１４についての概念図である。
【００３８】
本発明の実施の形態１４の前記第１の金融機関等のコンピュータにおいてなされる処理は全処理が一括順次連続に行われる場合、個々の処理の間に時間的間隔がある場合あるいは個々の処理が並行して実行される場合が考えられる。
【００３９】
＜実施の形態１５＞
本発明の実施の形態１５は、特典ポイント等の付与が第１の金融機関等より特典ポイント等の付与業務を委託された金融機関等によって行われる場合の実施の形態であり、第１の金融機関等のお客が第２の金融機関等の利用等を直接あるいは間接に将来あるいは現在する場合、第１の金融機関等のお客が第２の金融機関等の利用等を直接あるいは間接にした場合に第１の金融機関等が利用等を勧める業務システム等を第２の金融機関等が利用等していたならば、前記お客に付与する特典ポイント等の付与内容を向上する場合の実施の形態である。
本発明の実施の形態１５と本発明の実施の形態１３との違いは特典ポイント等の付与が第１の金融機関等より特典ポイント等の付与業務を委託された金融機関等によって行われることである。
図３０は実施の形態１５についての概念図である。
【００４０】
本発明の実施の形態１５の前記第１の金融機関等より特典ポイント等の付与業務を委託された金融機関等のコンピュータにおいてなされる処理は全処理が一括順次連続に行われる場合、個々の処理の間に時間的間隔がある場合あるいは個々の処理が並行して実行される場合が考えられる。
【００４１】
＜実施の形態１６＞
本発明の実施の形態１６は、特典ポイント等の付与が第１の金融機関等より特典ポイント等の付与業務を委託された金融機関等によって行われる場合の実施の形態であり、第１の金融機関等のお客が第２の金融機関等の利用等を直接あるいは間接に将来あるいは現在する場合、第１の金融機関等のお客が第２の金融機関等の利用等を直接あるいは間接にした場合に第１の金融機関等が利用等を勧める業務システム等を第２の金融機関等が利用等していたならば、前記お客に付与する特典ポイント等の付与内容を向上する場合の実施の形態である。
本発明の実施の形態１６と本発明の実施の形態１４との違いは特典ポイント等の付与が第１の金融機関等より特典ポイント等の付与業務を委託された金融機関等によって行われることである。
図３１は実施の形態１６についての概念図である。
【００４２】
本発明の実施の形態１６において、前記第１の金融機関等より特典ポイント等の付与業務を委託された金融機関等のコンピュータにおいてなされる処理は全処理が一括順次連続に行われる場合、個々の処理の間に時間的間隔がある場合あるいは個々の処理が並行して実行される場合が考えられる。
【００４３】
＜実施の形態１７＞
本発明の実施の形態１７は、第１の金融機関等のお客が第２の金融機関等の利用等を直接あるいは間接に将来あるいは現在する場合、第１の金融機関等のお客が第２の金融機関等の利用等を直接あるいは間接にした場合、第１の金融機関等のお客が第２の金融機関等の利用等を直接あるいは間接にした上で第２の金融機関等への顧客登録等を将来あるいは現在する場合あるいは第１の金融機関等のお客が第２の金融機関等の利用等を直接あるいは間接にした上で第２の金融機関等への顧客登録等を直接あるいは間接にした場合に第１の金融機関等が利用等を勧める業務システム等を第２の金融機関等が利用等していたならば、前記お客に付与する特典ポイント等の付与内容を向上する場合の実施の形態である。
本発明の実施の形態１３と本発明の実施の形態１７との違いは本発明の実施の形態１７では特典ポイント等の付与が第１の金融機関等からでなく第２の金融機関等から行われるものであることである。
図３２は実施の形態１７についての概念図である。
【００４４】
本発明の実施の形態１７の前記第２の金融機関等のコンピュータにおいてなされる処理は全処理が一括順次連続に行われる場合、個々の処理の間に時間的間隔がある場合あるいは個々の処理が並行して実行される場合が考えられる。
【００４５】
＜実施の形態１８＞
本発明の実施の形態１８は、特典ポイント等の付与が第１の金融機関等からでなく第２の金融機関等から行われる実施の形態であり、第１の金融機関等のお客が第２の金融機関等の利用等を直接あるいは間接に将来あるいは現在する場合、第１の金融機関等のお客が第２の金融機関等の利用等を直接あるいは間接にした場合に第１の金融機関等が利用等を勧める業務システム等を第２の金融機関等が利用等していたならば、前記お客に付与する特典ポイント等の付与内容を向上する場合の実施の形態である。
本発明の実施の形態１８と本発明の実施の形態１７の違いは本発明の実施の形態１８では本発明の実施の形態１７に見られる前記お客が前記第２の金融機関等へ顧客登録等を将来する、現在するあるいは過去したという行為がなく、前記行為に伴う作業、情報あるいは処理がないことである。
図３３は実施の形態１８についての概念図である。
【００４６】
本発明の実施の形態１８の前記第２の金融機関等のコンピュータにおいてなされる処理は全処理が一括順次連続に行われる場合、個々の処理の間に時間的間隔がある場合あるいは個々の処理が並行して実行される場合が考えられる。
【００４７】
＜実施の形態１９＞
本発明の実施の形態１９は、特典ポイント等の付与が第２の金融機関等より特典ポイント等の付与業務を委託された金融機関等によって行われる場合の実施の形態であり、第１の金融機関等のお客が第２の金融機関等の利用等を直接あるいは間接に将来あるいは現在する場合、第１の金融機関等のお客が第２の金融機関等の利用等を直接あるいは間接にした場合に第１の金融機関等が利用等を勧める業務システム等を第２の金融機関等が利用等していたならば、前記お客に付与する特典ポイント等の付与内容を向上する場合の実施の形態である。
本発明の実施の形態１９と本発明の実施の形態１３との違いは本発明の実施の形態１９では特典ポイント等の付与が第２の金融機関等より特典ポイント等の付与業務を委託された金融機関等によって行われることである。
図３４は実施の形態１９についての概念図である。
【００４８】
本発明の実施の形態１９の前記第２の金融機関等より特典ポイント等の付与業務を委託された金融機関等のコンピュータにおいてなされる処理は全処理が一括順次連続に行われる場合、個々の処理の間に時間的間隔がある場合あるいは個々の処理が並行して実行される場合が考えられる。
【００４９】
＜実施の形態２０＞
本発明の実施の形態２０は、特典ポイント等の付与が第２の金融機関等より特典ポイント等の付与業務を委託された金融機関等によって行われる場合の実施の形態であり、第１の金融機関等のお客が第２の金融機関等の利用等を直接あるいは間接に将来あるいは現在する場合、第１の金融機関等のお客が第２の金融機関等の利用等を直接あるいは間接にした場合に第１の金融機関等が利用等を勧める業務システム等を第２の金融機関等が利用等していたならば、前記お客に付与する特典ポイント等の付与内容を向上する場合の実施の形態である。
本発明の実施の形態２０と本発明の実施の形態１４との違いは特典ポイント等の付与が第２の金融機関等より特典ポイント等の付与業務を委託された金融機関等によって行われることである。
図３５は実施の形態２０についての概念図である。
【００５０】
本発明の実施の形態１６において、前記第１の金融機関等より特典ポイント等の付与業務を委託された金融機関等のコンピュータにおいてなされる処理は全処理が一括順次連続に行われる場合、個々の処理の間に時間的間隔がある場合あるいは個々の処理が並行して実行される場合が考えられる。
【００５１】
【発明の効果】
＜請求項１の効果＞
第１の金融機関等のお客の特典ポイント等を得たいという意欲を利用して前記お客から第２の金融機関等を第３者へ紹介等させることができるために前記第２の金融機関等が倒産しないように経営的な支援などを前記第１の金融機関等が行うことができる。
【００５２】
＜請求項２の効果＞
第１の金融機関等のお客の特典ポイント等を得たいという意欲を利用して前記お客から第２の金融機関等を紹介等された第３者に前記第２の金融機関等を利用等させることができるために前記第２の金融機関等が倒産しないように経営的な支援などを前記第１の金融機関等が行うことができる。
【００５３】
＜請求項３の効果＞
第１の金融機関等のお客の特典ポイント等を得たいという意欲を利用して前記お客から第２の金融機関等の利用等を第３者にさせた上で前記第３者を前記第１の金融機関等に顧客登録等させることができるために前記第１の金融機関等の顧客を増加させることが期待できる。
【００５４】
＜請求項４の効果＞
第１の金融機関等のお客による第２の金融機関等を利用等、前記お客から第３者への前期第２の金融機関等の紹介等、前記第３者による前記第２の金融機関等の利用等あるいは前記第３者による前記第２の金融機関等の利用等をした上での前記第１の金融機関等への顧客登録等などの行為がある時あるいはあった時に前記第１の金融機関等の勧める業務システム等を前記第２の金融機関等が利用等する場合には前記第１の金融機関等が特典ポイント等の付与内容等を向上して前記お客に付与するという特典ポイント等付与方法があるので前記第２の金融機関等の前記業務システム等を利用等しようとする意欲を高めることができ、前記業務システム等を前記第２の金融機関等に利用等させた時に第１の金融機関等が得る販売利益の向上を期待できる。
【００５５】
＜請求項５の効果＞
請求項４で述べた効果により前記業務システム等を利用等しようとする前記第２の金融機関等の意欲を高める手段があるために前記業務システム等を前記第２の金融機関等に利用等させた時に第１の金融機関等が得る取引上の安全性の向上を期待できる。
【００５６】
＜請求項６の効果＞
第２の金融機関等を第３者が将来利用等すること、現在利用等することあるい利用等したことが原因で前記お客に特典ポイント等が付与されたという事実が第３者に通知されるために前記第３者が前記お客に特典ポイント等を寄与できたという満足感を得ることができることが期待できる。前記満足感を得ようとする前記第３者の第２の金融機関等を利用等しようとする意欲あるいは前記第３者の第２の金融機関等を利用等した上で第１の金融機関等に顧客登録等しようとする意欲を高めることが期待できる。
【図面の簡単な説明】
【図１】本発明の実施の形態１を示す概念図
【図２】本発明の実施の形態１あるいは７の提携金融機関等募集のホームページ
【図３】本発明の実施の形態１あるいは７の情報も入力できる広告のホームページ
【図４】本発明の実施の形態１、４、７あるいは１０の概要処理フロー概念図
【図５】本発明の実施の形態２を示す概念図
【図６】本発明の実施の形態２あるいは８の提携金融機関等募集のホームページ
【図７】本発明の実施の形態２あるいは８の情報も入力できる広告のホームページ
【図８】本発明の実施の形態２、５、８あるいは１１の概要処理フロー概念図
【図９】本発明の実施の形態３を示す概念図
【図１０】本発明の実施の形態３あるいは９の提携金融機関等募集のホームページ
【図１１】本発明の実施の形態３あるいは９の情報も入力できる広告のホームページ
【図１２】本発明の実施の形態３、６、９あるいは１２の概要処理フロー概念図
【図１３】本発明の実施の形態４を示す概念図
【図１４】本発明の実施の形態４あるいは１０の提携金融機関等募集のホームページ
【図１５】本発明の実施の形態４あるいは１０の情報も入力できる広告のホームページ
【図１６】本発明の実施の形態５を示す概念図
【図１７】本発明の実施の形態５あるいは１１の提携金融機関等募集のホームページ
【図１８】本発明の実施の形態５あるいは１１の情報も入力できる広告のホームページ
【図１９】本発明の実施の形態６を示す概念図
【図２０】本発明の実施の形態６あるいは１２の提携金融機関等募集のホームページ
【図２１】本発明の実施の形態６あるいは１２の情報も入力できる広告のホームページ
【図２２】本発明の実施の形態７を示す概念図
【図２３】本発明の実施の形態８を示す概念図
【図２４】本発明の実施の形態９を示す概念図
【図２５】本発明の実施の形態１０を示す概念図
【図２６】本発明の実施の形態１１を示す概念図
【図２７】本発明の実施の形態１２を示す概念図
【図２８】本発明の実施の形態１３を示す概念図
【図２９】本発明の実施の形態１４を示す概念図
【図３０】本発明の実施の形態１５を示す概念図
【図３１】本発明の実施の形態１６を示す概念図
【図３２】本発明の実施の形態１７を示す概念図
【図３３】本発明の実施の形態１８を示す概念図
【図３４】本発明の実施の形態１９を示す概念図
【図３５】本発明の実施の形態２０を示す概念図
【図３６】発明の実施の形態に共通する紹介等情報入力処理の処理フロー概念図
【図３７】本発明の実施の形態に共通する利用等情報入力処理の処理フロー概念図
【図３８】本発明の実施の形態に共通する顧客登録等情報入力処理の処理フロー概念図
【図３９】従来技術の実施の形態１を示す概念図
【図４０】従来技術の実施の形態２を示す概念図
【符号の説明】
ａ  第１の金融機関等あるいは第１の金融機関等のコンピュータ
ｂ  お客あるいはお客のコンピュータ
ｃ  第３者あるいは第３者のコンピュータ
ｄ  第２の金融機関等あるいは第２の金融機関等のコンピュータ
ｅ  特典ポイント等付与方法運営被委託金融機関等
Ａ  特典ポイント等付与方法の業務提携先募集広告の表示
Ｂ  特典ポイント等付与方法の業務提携先募集に対する申込み
Ｃ  特典ポイント等付与方法の業務内容についての会話
Ｄ  特典ポイント等付与方法の業務の体制等に対する準備
Ｅ  特典ポイント等付与方法業務の開始と開始通知
Ｆ  特典ポイント等付与方法業務のお客向け広告等
Ｇ  特典ポイント等付与システムの運営委託
Ｈ  特典ポイント等付与システムの運営報告
１  お客から第３者への第２の金融機関等の紹介等する行為
２  紹介等情報あるいは紹介等実績情報
３  利用等情報あるいは利用等実績情報
４ａ  紹介等情報あるいは紹介等情報の通知
４ｂ  利用等情報あるいは利用等実績情報の通知
４ｃ  紹介等あるいは利用等の行為情報の通知
５  顧客登録等情報あるいは顧客登録等実績情報
６  顧客登録等情報あるいは顧客登録等実績情報の通知
７ａ  お客への特典ポイント等の付与あるいは付与の通知
７ｂ  お客に特典ポイント等が付与された事実の第３者への通知
８ａ  お客の特定顧客データ部
８ｂ  第３者のデータ記憶部
１１  特典ポイント等付与規定等情報
１２  特典ポイント等付与規定等情報入力
１３  特典ポイント等付与規定等情報入力処理
１４  特典ポイント等付与規定等保存情報
１５  行為情報入力作業
１６  行為情報入力処理
１７  顧客情報管理部の行為情報
１８  特典ポイント等付与規定等情報適用処理
１９  顧客情報管理部の特典ポイント等保存情報
【図１】
2004318270.tif 000003
【図２】
2004318270.tif 000004
【図３】
2004318270.tif 000005
【図４】
2004318270.tif 000006
【図５】
2004318270.tif 000007
【図６】
2004318270.tif 000008
【図７】
2004318270.tif 000009
【図８】
2004318270.tif 000010
【図９】
2004318270.tif 000011
【図１０】
2004318270.tif 000012
【図１１】
2004318270.tif 000013
【図１２】
2004318270.tif 000014
【図１３】
2004318270.tif 000015
【図１４】
2004318270.tif 000016
【図１５】
2004318270.tif 000017
【図１６】
2004318270.tif 000018
【図１７】
2004318270.tif 000019
【図１８】
2004318270.tif 000020
【図１９】
2004318270.tif 000021
【図２０】
2004318270.tif 000022
【図２１】
2004318270.tif 000023
【図２２】
2004318270.tif 000024
【図２３】
2004318270.tif 000025
【図２４】
2004318270.tif 000026
【図２５】
2004318270.tif 000027
【図２６】
2004318270.tif 000028
【図２７】
2004318270.tif 000029
【図２８】
2004318270.tif 000030
【図２９】
2004318270.tif 000031
【図３０】
2004318270.tif 000032
【図３１】
2004318270.tif 000033
【図３２】
2004318270.tif 000034
【図３３】
2004318270.tif 000035
【図３４】
2004318270.tif 000036
【図３５】
2004318270.tif 000037
【図３６】
2004318270.tif 000038
【図３７】
2004318270.tif 000039
【図３８】
2004318270.tif 000040
【図３９】
2004318270.tif 000041
【図４０】
2004318270.tif 000042